(57)【特許請求の範囲】
【請求項１】
１対の対向配置された折りローラと、これらの折りローラの接触線上にその長手方向を前記接触線上に平行にして配置された折りナイフと、この折りナイフをその面に垂直の軸周りに揺動可能に連結するナイフ連結部材と、このナイフ連結部材を上下駆動する駆動手段と、前記ナイフを弾性的に支持する弾性部材とを有する紙折装置であって、前記折りナイフはその中央部に孔を有し、前記連結部材は前記孔に遊嵌するものであり、前記折りナイフの長手方向に折るべきシートの厚さの相違が存在する場合には、前記折りナイフがこの厚さの相違に応じて傾斜することを特徴とする紙折装置。
【請求項２】
前記孔は折りナイフの長手方向に延びる長孔であり、前記連結部材は前記長孔の断面より小さい断面を有する平板上のものであることを特徴とする請求項１に記載の紙折装置。
【発明の詳細な説明】
【０００１】
【産業上の利用分野】
本発明はＡ０サイズ又はＡ１サイズ等の大型サイズのシートを折り畳むのに好適な紙折装置に関する。
【０００２】
【従来の技術】
Ａ０サイズ又はＡ１サイズ等の大型記録シートをファイルする場合は、一般にこの大型記録シートをＡ４又はＢ５サイズに折り畳んで、シートの片側に穿設されたパンチ孔を介して綴じ込むようにしている。この場合に、折り畳んで綴じられたシートは容易に開くことができるように折り方法が工夫されている。
【０００３】
図６及び図７は、シートを１方向にジグザグ状に複数回折り畳んだ後、前記折り畳み方向と直角の方向に折り畳み（クロス折り）を行う従来の紙折装置の一部を示す夫々正面図及び側面図である。１対の折りローラ２０ａ，２０ｂはその回転軸を相互に平行にして水平に対向するように配置されており、その周面の接触部（ニップ部）に向けて適宜の弾性力（ニップ圧力）で相互に押圧されている。
【０００４】
折りローラ２０ａ，２０ｂの一方が駆動手段（図示せず）により回転駆動され、他方はそれに従動回転して相互に反対方向に回転駆動されるようになっている。折りローラ２０ａ，２０ｂの接触線の上方には、折りナイフ２１がその長手方向を接触線に平行にして配置されている。また、折りナイフ２１は適宜の駆動手段により上下駆動され、折りローラ２０ａ，２０ｂの接触線に向けて接近離隔移動することができる。
【０００５】
次に、このように構成された従来の紙折装置の動作について説明する。前工程で一方向にジグザグに折り畳まれたシートＰがその折り畳み方向を９０°転回して折りローラ２０ａ，２０ｂと折りナイフ２１との間に搬送されてくる。これにより、シートＰは前工程での折り畳み方向を折りナイフ２１の長手方向に直角にして折りローラ２０ａ，２０ｂと折りナイフ２１との間に配置される。次いで、折りナイフ２１が下降し、折りローラ２０ａと折りローラ２０ｂとの接触線に向け移動し、折りナイフ２１がシートＰを下方に押圧し、シートＰを折りローラ２０ａと折りローラ２０ｂとの間の接触線に向け押し出す。その結果、シートＰの折りナイフ２１により押し出された部分が折りローラ２０ａと折りローラ２０ｂとの間に噛み込まれ、シートＰは回転する折りローラ２０ａと折りローラ２０ｂとの間に挟み込まれて折り畳まれる。
【０００６】
しかし、図６に示すように、シートＰの折り畳み形状によっては、前工程で１方向に複数回折り畳まれた場合に、必ずしも対称的に折り畳まれずにシートの位置によって折り重ねられたシートの層の数が違うことがある。このため、折りナイフ２１が折りローラ２０ａ，２０ｂの接触線に向けて下降すると、折りナイフ２１は先ずシートＰの重ね折りされて多層になっている厚い部分に接触し、この多層部分が撓み、その後折りナイフ２１が更に移動すると、折りナイフ２１がシートＰの１層の部分にも接触する。このため、シートＰの多層になっている厚い部分が先ず折りローラ２０ａと折りローラ２０ｂとの間のニップ部に挟み込まれ、次いで、シートＰの１層の部分が折りローラ２０ａと折りローラ２０ｂとの間に挟み込まれる。
【０００７】
このようにして、シートＰの１層部分が多層部分に遅れて折りローラ２０ａと折りローラ２０ｂとの間のニップ部に挟み込まれるため、この時間差により折りずれが生じる。即ち、折りナイフ２１により形成された単層シートの撓み部は、いずれか一方の折りローラ２０ａ，２０ｂの周面に接触しながら、次第に折りローラ２０ａ，２０ｂのニップ部に挟み込まれていく。その結果、シートの厚さが異なる部分で折り目がずれ、この折りずれにより、前工程で形成された折り目に皺が発生する。
【０００８】
そこで、このような問題点を解決するために、１対の紙折りローラの少なくとも一方のローラの中央部を両端部よりも小径にすることにより、又は軟質にすることにより、この部分に非圧折部を設けた紙折装置が実開昭６４−１４７７３に提案されている。また、対向した１対の折りローラをその一方の側部が若干離れる状態にして非対称配置し、紙に対するニップ圧力が折りローラの両側で異なるように設定して紙に皺が発生することを防止した紙折装置が実開平４−９７７６６に提案されている。
【０００９】
【発明が解決しようとする課題】
しかしながら、これらの従来の紙折装置は、非圧折部の径差は一定であり、また折りローラの非対称配置も一定であるため、全ての折り形状に対応できず、適用可能なシートに制約があり、また、皺を確実に防止することができない等の問題点がある。
【００１０】
本発明はかかる問題点に鑑みてなされたものであって、１方向に折り畳まれたシートをその折り方向に垂直の方向に折り畳む場合に、シートに折りずれ及び皺が発生することを防止でき、また折り形状が異なっても確実に折りずれ及び皺の発生を防止でき、汎用性が高い紙折装置を提供することを目的とする。
【００１１】
【課題を解決するための手段】
本発明に係る紙折装置は、１対の対向配置された折りローラと、これらの折りローラの接触線上にその長手方向を前記接触線上に平行にして配置された折りナイフと、この折りナイフをその面に垂直の軸周りに揺動可能に連結するナイフ連結部材と、このナイフ連結部材を上下駆動する駆動手段と、前記ナイフを弾性的に支持する弾性部材とを有する紙折装置であって、前記折りナイフはその中央部に孔を有し、前記連結部材は前記孔に遊嵌するものであり、前記折りナイフの長手方向に折るべきシートの厚さの相違が存在する場合には、前記折りナイフがこの厚さの相違に応じて傾斜することを特徴とする。これによって、前記折りナイフをその面に垂直の軸の周りに揺動可能に連結することができる。
【００１３】
また、前記孔は折りナイフの長手方向に延びる長孔であり、前記連結部材は前記長孔の断面より小さい断面を有する平板状のものとしてもよい。
【００１４】
【作用】
本発明に係る紙折り装置においては、前工程で一方向に折り畳まれたシートが、折りナイフと１対の折りローラとの間にその折り方向を前記折りナイフに垂直にして搬送されてくると、ナイフ連結部材が駆動手段により駆動されて下降する。これにより、前記折りナイフもナイフ連結部材と共に下降する。
【００１５】
そして、前記シートの折り重ねた複数層の部分と、単層の部分とで厚さが異なっている場合は、前記折りナイフは、初めに前記シートの最も厚い部分に当接する。そうすると、前記折りナイフにはシートから上方へ反力が印加される。そして、前記折りナイフはその面に垂直な軸の周りに揺動可能であるから、前記ナイフ連結部材が更に下降しようとすると、前記折りナイフに加わる下向きの力により前記折りナイフはシートの単層側の部分が下方になるように揺動して傾斜する。即ち、前記折りナイフは複数層側の部分がシートに当接した状態で停止し、単層側の部分が下降して傾斜し、シートに当接する。次いで、ナイフ連結部材が下降すると前記折りナイフは傾斜した状態で下降し、シートは厚い部分と薄い部分とが同時に折りローラ間に進入していく。これにより、シートにはその幅方向で同時に折り目が付され、皺が発生することが防止される。
【００１６】
また、シートによって厚さの偏りの程度が違う場合にも、前記折りナイフが軸の周りに揺動する角度が変化するので、折りナイフが傾斜してシートの厚い部分と薄い部分との双方に接した状態で、シートが折りローラ間に押し出され、その幅方向で同時に折り目が付される。このため、折り形状及びシートの大きさに依存せず、本発明により皺の発生を確実に防止できる。
【００１７】
一方、前記シートの厚さが一様である場合は、前記折りナイフは前記シートに同時に接し、前記折りナイフが揺動することはない。従って、折りナイフが水平の状態で下降して前記シートはその幅方向で同時に前記折りローラ間に進入して折り目が付される。
【００１８】
このため、本発明はあらゆるシートの折り形状に適用することができ、汎用性が高い。
【００１９】
【実施例】
以下、本発明の実施例について添付の図面を参照して具体的に説明する。図１は本発明の実施例に係る紙折装置を示す斜視図、図２は同じくその側面図、図３及び図４は同じくその正面図、図５は同じくその側面図である。
【００２０】
１対の折りローラ１ａ，１ｂはその回転軸を相互に平行にして水平に対向するように配置されている。折りローラ１ａ，１ｂは適宜の付勢手段により所定のニップ圧が得られるように相互に押圧されており、折りローラ１ａ，１ｂの回転軸はギヤ噛合により相互に連結されている。折りローラ１ａの回転軸には駆動ギヤが設けられており、適宜の駆動手段により回転駆動される。また、折りローラ１ｂの回転軸には従動ギヤが設けられており、この従動ギヤはコイルバネにより前記駆動ギヤに向けて常時付勢され、駆動ギヤと従動ギヤは常時連結されている。このため、折りローラ１ｂは折りローラ１ａに従動して逆方向に回転し、厚いシートが折りローラ１ａ，１ｂ間に挟み込まれた場合に、折りローラ１ａ，１ｂ間の間隔が折りローラ１ａ，１ｂ間の付勢力に抗して広がっても、両ローラは常時回転駆動されるようになっている。なお、この折りローラ１ａ，１ｂ間のニップ部の開きはストッパにより規制されており、前記駆動ギヤと前記従動ギヤとの連結が外れてしまうことを防止している。
【００２１】
折りローラ１ａ，１ｂの上縁の近傍には搬送板２ａ，２ｂがシートＰの搬送方向における折りローラ１ａ，１ｂの両側に相互に間隔をおいて配置されている。
【００２２】
折りローラ１ａ，１ｂの接触線、即ちニップ部の上方には、ナイフ３が設置されている。このナイフ３は側面視でレ字状の取付板４と、ブレード６とにより構成され、ブレード６はこの取付板４の垂直部に平行の垂直部と、取付板４の傾斜部に整合する傾斜部６ａと、この傾斜部６ａから垂直下方に延びる垂直部とにより構成されている。ブレード６の傾斜部６ａはシートＰの搬送方向Ｄに向いており、ブレード６は折りローラ１ａ，１ｂ間の接触線の直上に、その長手方向を前記接触線と平行にして配置されている。ブレード６と取付板４とは、取付板４の傾斜部とブレード６の傾斜部６ａとを重ね合わせた状態で相対向する垂直部をボルト７により連結固定して相互に固定されている。
【００２３】
取付板４の長手方向両端部の上縁にはバネ定数が同一のコイルバネ５ａ，５ｂの下端が係止されており、このコイルバネ５ａ，５ｂの上端は装置ハウジングに係止されている。これにより、取付板４及びブレード６はコイルバネ５ａ，５ｂにより弾性的に吊り下げられている。取付板４の長手方向の中央には、矩形の孔４ｃが設けられている。この孔４ｃは取付板４の長手方向に延びる長孔であり、孔４ｃにはナイフ連結部材８の先端部が挿入されるようになっている。
【００２４】
ナイフ連結部材８はその断面形状が孔４ｃの形状よりも小さい。即ち、ナイフ連結部材８の断面形状はその縦及び横の寸法が夫々孔４ｃの縦及び横の寸法より小さい。このため、ナイフ連結部材８は孔４ｃにガタをもって嵌合され、遊嵌されている。
【００２５】
揺動軸９は装置ハウジングにその長手方向を水平にして回転可能に軸支されている。そして、ナイフ連結部材８はその基端部が揺動軸９に固定されており、揺動軸９が正逆回転するとナイフ連結部材８は揺動軸９を中心として揺動する。
【００２６】
ソレノイド１１はそのプランジヤ１１ａを水平にして配設されている。このソレノイド１１が励磁されると、プランジヤ１１ａはソレノイド１１の内部へ向けて吸引され、ソレノイド１１内に退入する。このプランジヤ１１ａの先端にはリンク１０の一端部が相互に回転可能に連結されている。このリンク１０の他端部は揺動軸９に固定されている。このため、リンク１０は揺動軸９を中心として揺動することができる。従って、ソレノイド１１が駆動されてプランジヤ１１ａが進出退避移動すると、その先端に連結されたリンク１０が揺動軸９の周りに揺動してこれを回転させ、揺動軸９に固定されたナイフ連結部材８が揺動する。このナイフ連結部材８の揺動により、その孔４ｃにナイフ連結部材８を遊嵌したナイフ３が上昇及び下降移動する。図３，４に示すように、取付板４にはその長手方向の両端部にストップ片４ａ，４ｂが取付板４から突出するようにして取付けられており、装置ハウジングにはストッパ４ｄ，４ｅが設けられている。このため、図５に示すように、ナイフ３のブレード６が折りローラ１ａ，１ｂ間のニップ部に向けて下降した場合、ブレード６が折りローラ１ａ，１ｂに所定距離まで接近すると、ストップ片４ａ，４ｂがストッパ４ｄ，４ｅに当接し、ブレード６がそれ以上折りローラ１ａ，１ｂに接近しないようになっている。これにより、ブレード６は下降しても折りローラ１ａ，１ｂのニップ部の直前で停止することができる。
【００２７】
次に、上述の如く構成された本実施例装置の動作について説明する。先ず、前工程で１方向に折り畳まれたシートＰがその折り目をナイフ３に垂直にして矢印Ｄ方向に搬送板２ａ上を搬送され、ナイフ３と折りローラ１ａ，１ｂとの間に送られてくる。もし、シートＰがそれ以上折り畳む必要がないものである場合、即ち、１方向にのみ折り畳まれていればよいものである場合は、シートＰがナイフ３の位置に到達する前に、図５に示すように、ナイフ３が下降してそのブレード傾斜部６ａがシートＰの搬送方向の前方に介在する。このナイフ３の下降は後述するようにソレノイド１１を通電して励磁することにより行う。
【００２８】
そうすると、シートＰは傾斜部６ａに当接し、この傾斜部６ａに沿ってその進行方向が垂直下方に転じ、折りローラ１ａ，１ｂ間のニップ部に向けて進行し、その後、ニップ部に挟み込まれて折りローラ１ａ，１ｂから下方に送出される。これにより、シートＰは折りローラ１ａ，１ｂにより押圧されて、前工程で形成された折り目が強調される。その後、ソレノイド１１を消勢すれば、ナイフ３及び取付板４はコイルバネ５ａ，５ｂの付勢力により上昇し、プランジヤ１１ａが進出（吸引解除）する。
【００２９】
一方、前工程で１方向に折り畳まれたシートＰを、本実施例装置により、前工程の折り目に垂直の方向に更に折り込む場合には、前述と同様に前工程で形成した折り目をナイフ３のブレード６に垂直にしてシートＰを搬送板２ａ上をナイフ３の位置まで搬送してくる。そして、シートＰを搬送板２ａ，２ｂ上に架け渡した状態で停止させ、その後、ソレノイド１１を励磁する。又は、搬送中のシートＰが所定位置を通過したことをセンサにより検知した時点で、ソレノイド１１を励磁してもよい。
【００３０】
そうすると、プランジヤ１１ａがソレノイド１１内に吸引され、リンク１０及びナイフ連結部材８が図２において、揺動軸９の周りに反時計方向に回転する。このため、孔４ｃにナイフ連結部材８が遊嵌された取付板４とブレード６が、コイルバネ５ａ，５ｂの付勢力に抗して下降する。コイルバネ５ａ，５ｂは同一のバネ定数を有するので、取付板４及びブレード６は水平の状態で下降する。そして、図３に示すように、シートＰが単層部分と複層部分とを有するためにそのブレード長手方向に厚さの相違が存在する場合には、先ず、ブレード６はシートＰの複層の厚い部分に当接する。そうすると、ブレード６の複層側の部分は停止し、ナイフ連結部材８が更に下降することにより、ブレード６には更に下向きの力が加わるので、ブレード６はそのシート単層側部分が下降し、ブレード６は図３に示すようにシート単層側部分が下方になるように傾斜する。そして、ブレード６のシート単層側部分がシートＰに当接し、更にナイフ連結部材８が下降すると、ブレード６は図３に示すように傾斜した状態で更に下降し、シートＰを折りローラ１ａ，１ｂのニップ部に向けて押し出す。そうすると、シートＰはブレード６がその長手方向に一様に当接した状態で、同時に折りローラ１ａ，１ｂ間に挟み込まれ、同時に折り目が形成される。このため、シートＰには折り目のずれが発生せず、皺の発生を防止することができる。シートＰは折りローラ１ａ，１ｂ間に挟み込まれた後、下方に送出され、垂直方向への折り込みが終了する。シートＰが折りローラ１ａ，１ｂ間に挟み込まれた後、ソレノイド１１は消勢され、コイルバネ５ａ，５ｂの付勢力により取付板４及びブレード６が上昇し、ナイフ連結部材８及びリンク１０を介して、プランジヤ１１ａがソレノイド１１内から進出する。
【００３１】
本実施例においては、ブレード６はシートＰの複層部分と単層部分の厚さの差に応じて傾斜し、即ちブレード６の傾斜角度はシートＰの厚さの差により決まり、シートＰ間に厚さの差が存在しても、ブレード６はその全域で常にシートＰに接触する。
【００３２】
また、シートＰに厚さの差が存在しない場合には、ナイフ３のブレード６は傾斜せず、水平の状態を保持したまま下降してシートＰを折りローラ１ａ，１ｂ間に押し出す。
【００３３】
このようにして、本実施例によれば、シートＰの折り形状によらず、即ち、厚さの差が異なる場合及び厚さの差が存在しない場合でも、確実にシートに折り目のずれ及び皺を発生させずに折り込むことができ、その適用可能なシートに制約がなく汎用性が優れている。
【００３４】
【発明の効果】
本発明によれば、ナイフ連結部材が折りナイフをその面に垂直の軸の周りに揺動可能に連結し、駆動手段により前記ナイフ連結部材を下降させるので、シートの厚い部分に当接したナイフは傾斜してシートに均一に接触し、この状態でシートが折りローラに挟み込まれるので、シートに同時に折り目を形成することができ、折り目のずれ及び皺の発生を防止することができる。また、シートの折り形状に合わせてナイフが揺動し、傾斜角度が変化するので、シートの折り形状によらず常に折りずれ及び皺の発生を防止することができ、本発明は適用可能なシートに制約がなく、汎用性が高い。
【図面の簡単な説明】
【図１】本発明の実施例に係る紙折装置を示す斜視図である。
【図２】同じくその側面図である。
【図３】同じくその正面図である。
【図４】同じくその正面図である。
【図５】同じくその側面図である。
【図６】従来の紙折装置を示す正面図である。
【図７】同じくその側面図である。
【符号の説明】
１ａ，１ｂ；折りローラ
２ａ，２ｂ；搬送板
３；ナイフ
４；取付板
４ａ，４ｂ；ストップ片
４ｃ；孔
４ｄ，４ｅ；ストッパ
５ａ，５ｂ；コイルバネ
６；ブレード
６ａ；傾斜部
７；ボルト
８；ナイフ連結部材
９；揺動軸
１０；リンク
１１；ソレノイド
１１ａ；プランジヤ
２０ａ，２０ｂ；折りローラ
２１；折りナイフ
Ｐ；シート
【図１】
0003589476.tif 000002
【図２】
0003589476.tif 000003
【図３】
0003589476.tif 000004
【図４】
0003589476.tif 000005
【図５】
0003589476.tif 000006
【図６】
0003589476.tif 000007
【図７】
0003589476.tif 000008